(57)【要約】【課題】  ２つの収納室に固定接点と可動接点ならびに切換え部材が収納されており、それぞれの収納室の密閉度を高めることができ、且つ切換え負荷を低減できる切換え装置を提供する。【解決手段】  ケース１１に収納室Ｓ２を仕切る内壁部１３ｂに凹部１６ｂが形成され、凹部１６ｂと蓋体の内側挟持片６１との間に、左右方向（Ｙ方向）に延びる貫通部６５が形成され、切換え部材４０ｂの軸体４１が貫通部６５に収納されている。軸体４１と一体の操作部に横方向（β２方向）の力が与えられると、切換え部材４０ｂは横方向へ移動し且つ軸体４１を支点として回動し、駆動部４２ａによって可動接点３５が時計方向へ倒される。【選択図】図７
2014229529.tif 000002
【特許請求の範囲】
【請求項１】
固定接点と前記固定接点に選択的に接触する可動接点ならびに前記可動接点を動作させる切換え部材とが収納されたケースと、前記ケースを塞ぐ蓋体とが設けられた切換え装置において、
前記ケースに、底部から立ち上がって互いに対向する２つの内壁部と、それぞれの内壁部の外側に対向して前記底部から立ち上がる２つの外壁部と、それぞれの内壁部とそれぞれの外壁部の両端部どうしを連結して前記底部から立ち上がる側壁部とが一体に形成されて、前記内壁部と前記外壁部と前記側壁部ならびに前記底部とで囲まれて上方に開口部を有する２つの収納室と、２つの前記内壁部との間に位置する操作空間とが構成され、それぞれの前記収納室に前記固定接点と前記可動接点とが収納されており、
それぞれの前記収納室には、前記内壁部を貫通して上向きに開放された凹部が設けられ、
それぞれの前記切換え部材は、前記凹部に支持される第１の支持部と、外壁部に支持される第２の支持部と、前記収納室の内部に位置して前記可動接点を動作させる駆動部と、前記第１の支持部と連続して前記操作空間の内部に位置する操作部とを有し、
それぞれの前記収納室に、前記駆動部を前記可動接点に押し付けて、前記操作部を初期姿勢へ付勢するばね部材が収納されており、
前記蓋体に、それぞれの前記内壁部の操作空間に向く外面に重ねられる挟持片が形成され、前記凹部と前記挟持片との間に、前記底部と平行に延びる貫通部が形成されて、前記第１の支持部が前記貫通部に移動自在に支持され、前記切換え部材が、前記底部と平行に初期姿勢から切換え姿勢へ向けて移動可能であり、
２つの前記切換え部材は、切換え姿勢へ向かう移動方向が互いに逆向きであり、前記操作空間内に位置する前記操作部を介して前記切換え部材が切換え姿勢へ向けて移動させられるときの移動力によって、それぞれの収納室内で前記可動接点と前記固定接点との接触状態が切換えられることを特徴とする切換え装置。
【請求項２】
前記可動接点には前記底部と逆方向へ隆起する乗り上げ部が形成され、切換え姿勢へ向かう前記駆動部が前記乗り上げ部に乗り上がることで、前記可動接点と前記固定接点との接触が切換えられ、
前記切換え部材が切換え姿勢に向けて移動し前記固定部が前記乗り上げ部に乗り上がるときに、前記切換え部材が前記第１の支持部を支点として回動する請求項１記載の切換え装置。
【請求項３】
前記第１の支持部は断面が円形の軸体であり、前記凹部と前記挟持片との間の前記貫通部内を前記軸体が摺動し且つ回動する請求項２記載の切換え装置。
【請求項４】
前記切換え部材は、第１の支持部と前記駆動部とが、前記側壁部の対向方向に向けて離れて位置しており、前記切換え部材が初期姿勢のときに、前記ばね部材によって、前記第１の支持部と前記駆動部の双方が前記底部に向けて付勢されている請求項２または３記載の切換え装置。
【請求項５】
２つの前記操作部が、前記操作空間の内部で、２つの前記側壁部の対向方向に間隔を空けて配置されている請求項１ないし４のいずれかに記載の切換え装置。
【請求項６】
操作部材に設けられた切換え押圧部が２つの前記操作部の間に位置し、前記操作空間内で前記切換え押圧部が一方向へ移動すると一方の前記切換え部材が切換え姿勢へ向けて移動させられ、他方向へ移動すると他方の前記切換え部材が切換え姿勢へ向けて移動させられる請求項５記載の切換え装置。
【請求項７】
前記蓋体の前記挟持片からカバー部が折り曲げられており、前記カバー部が、操作空間に位置する前記操作部に上方から対向している請求項６記載の切換え装置。
【発明の詳細な説明】
【技術分野】
【０００１】
本発明は、車載用電装設備などに使用される２連式の切換え装置に係り、特に防塵性を高めた構造の切換え装置に関する。
【背景技術】
【０００２】
車載用パワーウインドウ装置の駆動スイッチやその他の車載用電装設備のスイッチ部に２連式の切換え装置が使用されている。
【０００３】
特許文献１に記載されている切換え装置は、ケースに２つの接点収納空間が形成されている。それぞれの接点収納空間には、底部に固定された固定接点部材と、可動接点となる導体板と、駆動体の摺動作動部と、前記摺動作動部を可動接点に押し付ける板ばね部材が収納されている。
【０００４】
ケースでは、それぞれの接点収納空間の内側の仕切り壁の間にスリットが形成され、仕切り壁には、接点収納空間と前記スリットとを連通させる凹部が形成されている。それぞれの駆動体には、前記摺動作動部とともに被押圧部が形成されている。駆動体の一部が前記凹部の内部に位置し、被押圧部が前記スリット内に位置している。
【０００５】
特許文献１では、板ばね材料で形成されたカバー部材がケースの上に装着され、２つの接点収納空間と、隣り合う接点収納空間の間に形成されたスリットの双方が、１つのカバー部材で覆われている。前記スリットには、２つの被押圧部が位置しており、２つの被押圧部が、前記カバー部材に形成された窓孔から上方へ突出している。
【０００６】
特許文献１に記載された切換え装置を使用する電装設備では、操作つまみの作用端部がカバー部材の上方に突出している２つの被押圧部の間に介在している。操作つまみが一方の側へ倒されると、一方の駆動体が回動させられて、一方の接点収納空間内の固定接点部と導体板との接触が切換えられ、操作つまみが他方の側へ倒されると、他方の駆動体が回動させられて、他方の接点収納空間内の固定接点部と導体板との接触が切換えられる。
【先行技術文献】
【特許文献】
【０００７】
【特許文献１】特開２００５−１２３１３５号公報
【発明の概要】
【発明が解決しようとする課題】
【０００８】
特許文献１に記載された切換え装置では、ケースに形成されたそれぞれの接点収納空間とスリットとが凹部を介して連通している。凹部には駆動体が回動自在で且つ上下に移動自在に支持されているため、凹部の内縁部と駆動体との間に大きな隙間が形成され、それぞれの接点収納部の密閉が十分ではない。駆動体は、回動動作と上下動作によって、導体板を切換え動作させるものであるため、導体板を動作させるときの駆動体の動作負荷が比較的大きい。また、導体板の切換えのときに駆動体が上下に動くため、装置の配置スペースが上方に余分に必要となる。
【０００９】
さらに、スリットの上方では、カバー部材に窓孔が形成され、駆動体の被押圧部が窓孔から上方へ突出しているが、駆動体が回動するために、窓孔と被押圧部との間に大きな隙間を形成することが必要となっている。その結果、車室内のゴミや埃さらには水分が、カバー部材の窓孔からスリット内に入りやすく、さらに凹部を介してスリット内から接点収納部の内部にゴミなどが入り込みやすくなっており、接点の切換えの信頼性を低下させる課題があった。
【００１０】
本発明は、上記従来の課題を解決するものであり、２つの収納空間内の密閉性を向上させて、収納空間の内部での接点の切換え動作の信頼性を高めることができ、さらに、比較的低負荷で切換え動作を行うことができる切換え装置を提供することを目的としている。
【課題を解決するための手段】
【００１１】
本発明は、固定接点と前記固定接点に選択的に接触する可動接点ならびに前記可動接点を動作させる切換え部材とが収納されたケースと、前記ケースを塞ぐ蓋体とが設けられた切換え装置において、
前記ケースに、底部から立ち上がって互いに対向する２つの内壁部と、それぞれの内壁部の外側に対向して前記底部から立ち上がる２つの外壁部と、それぞれの内壁部とそれぞれの外壁部の両端部どうしを連結して前記底部から立ち上がる側壁部とが一体に形成されて、前記内壁部と前記外壁部と前記側壁部ならびに前記底部とで囲まれて上方に開口部を有する２つの収納室と、２つの前記内壁部との間に位置する操作空間とが構成され、それぞれの前記収納室に前記固定接点と前記可動接点とが収納されており、
それぞれの前記収納室には、前記内壁部を貫通して上向きに開放された凹部が設けられ、
それぞれの前記切換え部材は、前記凹部に支持される第１の支持部と、外壁部に支持される第２の支持部と、前記収納室の内部に位置して前記可動接点を動作させる駆動部と、前記第１の支持部と連続して前記操作空間の内部に位置する操作部とを有し、
それぞれの前記収納室に、前記駆動部を前記可動接点に押し付けて、前記操作部を初期姿勢へ付勢するばね部材が収納されており、
前記蓋体に、それぞれの前記内壁部の操作空間に向く外面に重ねられる挟持片が形成され、前記凹部と前記挟持片との間に、前記底部と平行に延びる貫通部が形成されて、前記第１の支持部が前記貫通部に移動自在に支持され、前記切換え部材が、前記底部と平行に初期姿勢から切換え姿勢へ向けて移動可能であり、
２つの前記切換え部材は、切換え姿勢へ向かう移動方向が互いに逆向きであり、前記操作空間内に位置する前記操作部を介して前記切換え部材が切換え姿勢へ向けて移動させられるときの移動力によって、それぞれの収納室内で前記可動接点と前記固定接点との接触状態が切換えられることを特徴とするものである。
【００１２】
本発明は、切換え部材が底部に沿って移動し、駆動部によって可動接点が切換えられる。そのため、凹部と挟持片との間の貫通部が上下に長く延びるものではなくなり、収納室の内部にゴミや埃や水分が侵入しにくくなる。
【００１３】
また、切換え部材が底部に沿って水平に移動する移動力によって可動接点と固定接点との接触が切換えられるため、比較的軽い負荷で接点の切換えを行うことができる。また、切換え部材から延び出ている操作部が上下に動くことがないので、ケースの上方に操作部の上下方向への移動領域を確保することが必要ではない。
【００１４】
本発明は、前記可動接点には前記底部と逆方向へ隆起する乗り上げ部が形成され、切換え姿勢へ向かう前記駆動部が前記乗り上げ部に乗り上がることで、前記可動接点と前記固定接点との接触が切換えられ、
前記切換え部材が切換え姿勢に向けて移動し前記固定部が前記乗り上げ部に乗り上がるときに、前記切換え部材が前記第１の支持部を支点として回動するものである。
【００１５】
この場合に、前記第１の支持部は断面が円形の軸体であり、前記凹部と前記挟持片との間の前記貫通部内を前記軸体が摺動し且つ回動する。
【００１６】
切換え部材が、底部に沿って水平に移動するとともに回動する動作で、可動接点と固定接点との接触が切換えられるため、接触の切換えを安定して確実に行うことができる。
【００１７】
本発明は、前記切換え部材は、第１の支持部と前記駆動部とが、前記側壁部の対向方向に向けて離れて位置しており、前記切換え部材が初期姿勢のときに、前記ばね部材によって、前記第１の支持部と前記駆動部の双方が前記底部に向けて付勢されているものが好ましい。
【００１８】
ばね部材によって第１の支持部と駆動部の双方が下向きに押さえられているため、可動接点を確実に駆動できるとともに、操作力を解除したときに切換え部材が初期姿勢に復帰しやすくなる。
【００１９】
本発明は、２つの前記操作部が、前記操作空間の内部で、２つの前記側壁部の対向方向に間隔を空けて配置されているものである。
【００２０】
また、操作部材に設けられた切換え押圧部が２つの前記操作部の間に位置し、前記操作空間内で前記切換え押圧部が一方向へ移動すると一方の前記切換え部材が切換え姿勢へ向けて移動させられ、他方向へ移動すると他方の前記切換え部材が切換え姿勢へ向けて移動させられるものである。
【００２１】
本発明は、前記蓋体の前記挟持片からカバー部が折り曲げられており、前記カバー部が、操作空間に位置する前記操作部に上方から対向しているものとして構成できる。
【００２２】
上記カバー部を設けることで、収納室へのゴミや埃や水分の侵入をさらに阻止しやすくなる。
【発明の効果】
【００２３】
本発明の切換え装置は、収納室と操作空間との間の貫通部が、底部と平行に延び、従来のように上下に延びるものではないため、２つの収納室にゴミや埃または水分が侵入しにくくなる。
【００２４】
また、可動接点を比較的低負荷で確実に動作させることができ、切換え部材を初期姿勢へ復帰させることも容易になる。
【図面の簡単な説明】
【００２５】
【図１】本発明の実施の形態の切換え装置と操作部材とが組み合わされた構造を示す正面図、
【図２】本発明の実施の形態の切換え装置の斜視図、
【図３】図２に示す切換え装置の分解斜視図、
【図４】図２の切換え装置をＩＶ−ＩＶ線で切断した断面図、
【図５】図２の切換え装置をＶ−Ｖ線で切断した断面図、
【図６】図２の切換え装置をＶＩ−ＶＩ線で切断した断面図、
【図７】図６と同じ断面図での動作説明図、
【発明を実施するための形態】
【００２６】
図１に、本発明の実施の形態の切換え装置１０と操作部材１とが組み合わされた構造が示されている。操作部材１は、車載用パワーウインドウ装置の開閉操作のためのものである。また切換え装置１０は、車載用パワーウインドウ装置以外の各種電装設備の検知スイッチや切換えスイッチとして使用することが可能である。
【００２７】
図２以下に示す切換え装置１０は、Ｘ方向が前後方向、Ｙ方向が左右方向、Ｚ方向が上下方向である。
【００２８】
切換え装置１０はケース１１を有している。ケース１１は絶縁性の合成樹脂材料で射出成形されている。
【００２９】
図４と図５に示すように、ケース１１は底部１２を有している。図３に示すように、ケース１１には、底部１２から垂直に立ち上がる第１の内壁部１３ａならびに第２の内壁部１３ｂと、第１の外壁部１４ａならびに第２の外壁部１４ｂ、さらに側壁部１５ａと側壁部１５ｂが一体に形成されている。
【００３０】
第１の内壁部１３ａと第２の内壁部１３ｂは前後方向（Ｘ方向）に対向し、第１の外壁部１４ａは第１の内壁部１３ａの前後方向の外側に対向し、第２の外壁部１４ｂは第２の内壁部１３ｂの前後方向の外側に対向している。側壁部１５ａ，１５ｂは、前記内壁部ならびに外壁部と直交する向きに形成され、左右方向（Ｙ方向）に間隔を空けて対向している。
【００３１】
ケース１１には、第１の内壁部１３ａと第１の外壁部１４ａならびに側壁部１５ａ，１５ｂとで囲まれて下部が底部１２で塞がれた第１の収納室Ｓ１が形成されている。また、第２の内壁部１３ｂと第２の外壁部１４ｂならびに側壁部１５ａ，１５ｂとで囲まれて下部が底部１２で塞がれた第２の収納室Ｓ２が形成されている。第１の収納室Ｓ１と第２の収納室Ｓ２は、共に上方が解放された開口部となっている。
【００３２】
ケース１１には、第１の内壁部１３ａと第２の内壁部１３ｂとの間に操作空間Ｓ３が形成されている。操作空間Ｓ３は、左右方向（Ｙ方向）へ細長い空間である。図２と図３に示す実施の形態では、操作空間Ｓ３の左右方向の両側部が側壁部１５ａ，１５ｂで塞がれているが、操作空間Ｓ３が側壁部１５ａ，１５ｂで塞がれておらず、左右方向（Ｙ方向）に解放されていてもよい。
【００３３】
図２と図３に、底部１２の中心から垂直に上下方向（Ｚ方向）に延びるケース中心線Ｏ０が示されている。ケース１１は、ケース中心線Ｏ０を中心として１８０度回転させた形状と一致する。すなわち、第１の収納室Ｓ１と第２の収納室Ｓ２の構造と寸法、ならびに操作空間Ｓ３の構造と寸法は、ケース中心線Ｏ０に対して１８０度の回転対称である。
【００３４】
図３に示すように、第１の内壁部１３ａに第１の凹部１６ａが形成され第２の内壁部１３ｂに第２の凹部１６ｂが形成されている。第１の凹部１６ａは第１の内壁部１３ａを前後方向（Ｘ方向）に貫通し、第２の凹部１６ｂは第２の内壁部１３ｂを前後方向（Ｘ方向）に貫通している。図４に示すように、第１の凹部１６ａの下縁部１７ａは、底部１３よりも上方に位置しており、図３に示すように、第２の凹部１６ｂの下縁部１７ｂも、底部１３よりも上方に位置している。下縁部１７ａと下縁部１７ｂは、底部１２と平行で左右方向（Ｙ方向）に延びている。
【００３５】
図３に示すように、第１の凹部１６ａの幅方向の中心は、ケース中心線Ｏ０よりも側壁部１５ａに近い位置にあり、第２の凹部１６ｂの幅方向の中心は、ケース中心線Ｏ０よりも側壁部１５ｂに近い位置にある。
【００３６】
図３と図４に示すように、第１の外壁部１４ａの第１の収納室Ｓ１に面する内面には、対向支持部１８ａが形成されている。対向支持部１８ａは、第１の外壁部１４ａの内面から隆起する段差部であり、第１の凹部１６ａに対向して、左右方向（Ｙ方向）に同じ高さで延びている。同様に、第２の外壁部１４ｂの内面にも、第２の凹部１６ｂに対向する対向支持部１８ｂ（図には現れていない）が示されている。
【００３７】
図３に示すように、第１の収納室Ｓ１では、第１の外壁部１４ａの内面に、ばね規制部２１ａとばね規制部２２ａが形成されている。ばね規制部２１ａ，２２ａは、第１の外壁部１４ａの内面から隆起する段差部である。第１の内壁部１３ａの第１の収納室Ｓ１に面する内面にも、ばね規制部２２ａに対向するばね規制部が形成されている。同様に、第２の収納室Ｓ２においても、第２の外壁部１４ｂの内側に２つのばね規制部が左右方向（Ｙ方向）に間隔を空けて形成されている。図３に現れているように、第２の内壁部１３ｂの内面に、ばね規制部２２ｂが形成されている。
【００３８】
図６は図２のＶＩ−ＶＩ線の断面図であり、第２の収納室Ｓ２の内部構造が示されている。第２の収納室Ｓ２では、底部１２に３個の固定接点が固定されて設けられている。左右方向（Ｙ方向）の中央に第２のコモン固定接点３１ｂが固定され、側壁部１５ａに近い側に第２の初期接触固定接点３２ｂが固定され、側壁部１５ｂに近い側に第２の切換え固定接点３３ｂが固定されている。
【００３９】
第１の収納室Ｓ１と第２の収納室Ｓ２はケース中心線Ｏ０を中心とする回転対称構造である。よって、第１の収納室Ｓ１では、中央に第１のコモン固定接点３１ａが、側壁部１５ｂに近い側に第１の初期接触固定接点３２ａが固定され、側壁部１５ａに近い側に第１の切換え固定接点３３ａが固定されている。図４には、第１のコモン固定接点３１ａと第１の切換え固定接点３３ａが現れている。
【００４０】
図６に示すように、第２の収納室Ｓ２に可動接点３５が収納されている。可動接点３５は銅板などの導電性板材で形成されている。第２の収納室Ｓ２に収納されている可動接点３５は、第２の初期接触固定接点３２ｂに対向する初期接触片３５ａと、第２の切換え固定接点３３ｂに対向する切換え接触片３５ｂを有し、その中間に乗り上げ部３５ｃが上向きに突出して形成されている。乗り上げ部３５ｃは、第２のコモン固定接点３１ｂと第２の切換え固定接点３３ｂとの間でその上方に位置している。
【００４１】
第１の収納室Ｓ１にも第２の収納室Ｓ２と同じ可動接点３５が収納されている。第１の収納室Ｓ１に収納された可動接点３５は、第２の収納室Ｓ２に収納された可動接点３５と左右方向（Ｙ方向）の向きが逆に配置されている。第１の収納室Ｓ１に収納された可動接点３５は、初期接触片３５ａが側壁部１５ｂに向けられ、切換え接触片３５ｂが側壁部１５ａに向けられている。
【００４２】
図３に示すように、ケース１１の第１の収納室Ｓ１に第１の切換え部材４０ａが収納され、第２の収納室Ｓ２に第２の切換え部材４０ｂが収納される。第１の切換え部材４０ａと第２の切換え部材４０ｂは合成樹脂材料で形成されて、同じ構造で同じ寸法を有しているが、ケース１１への組み込み姿勢が、ケース中心線Ｏ０に対して１８０度の回転対称である。そこで、以下では、第１の切換え部材４０ａと第２の切換え部材４０ｂについて、異なる符号を付して説明する。
【００４３】
図３に示すように、第１の切換え部材４０ａは、軸体４１と可動部４２と、軸体４１と可動部４２とを連結する連結部４３とが一体に形成されている。軸体４１と可動部４２は、左右方向（Ｙ方向）に間隔を空けて配置されている。軸体４１は均一な直径の円形断面を有している。
【００４４】
軸体４１は、第１の凹部１６ａに支持される部分が支持部４１ａであり、支持部４１ａよりも先側の端部に操作部４１ｃが形成されている。図４に示すように、軸体４１の操作部４１ｃと逆側の端部に支持部４１ｂが形成されている。可動部４２の下部に駆動部４２ａが下向きに突出しており、可動部４２の上面が加圧部４２ｂとなっている。
【００４５】
同様に、第２の切換え部材４０ｂは、軸体４１と可動部４２ならびに連結部４３が一体に形成され、軸体４１に第１の支持部４１ａと第２の支持部４１ｂならびに操作部４１ｃが形成され、可動部４２に駆動部４２ａと加圧部４２ｂが形成されている。
【００４６】
図３に示すように、第１の収納室Ｓ１と第２の収納室Ｓ２に、同じ構造で同じ寸法のばね部材５５が上方から装着される。それぞれのばね部材５５は板ばね材料で形成されたものであり、押圧弾性片５６と、押圧弾性片５６の左右方向の端部から上向きに曲げられた支持弾性片５７，５７とが一体に形成されている。
【００４７】
図４に示すように、第１の収納室Ｓ１の上方の開口部が第１の蓋体６０ａで塞がれ、第２の収納室Ｓ２の上方の開口部が第２の蓋体６０ｂで塞がれる。第１の蓋体６０ａと第２の蓋体６０ｂは、同じ構造で同じ寸法のものであるが、ケース中心線Ｏ０を中心とする回転対称の向きで使用されている。
【００４８】
図３に示すように、第１の蓋体６０ａと第２の蓋体６０ｂは、板ばね材料を折り曲げて形成されている。それぞれの蓋体６０ａ，６０ｂには、内側挟持片６１と外側挟持片６２が下向きでほぼ直角に折り曲げられている。内側挟持片６１と外側挟持片６２は、前後方向（Ｘ方向）に間隔を空けて対向している。内側挟持片６１には、下向きに解放された切欠き部６１ａが形成され、切欠き部６１ａの上縁部の一部から板ばね材料がほぼ垂直に折り曲げられてカバー部６１ｂが形成されている。
【００４９】
それぞれの蓋体６０ａ，６０ｂには、左右方向（Ｙ方向）で対向する側部挟持片６３，６３が折り曲げられている。側部挟持片６３，６３のそれぞれには掛止穴６３ａ，６３ａが開口している。図３に示すように、ケース１１の側壁部１５ａ，１５ｂの外面に、前記掛止穴６３ａ，６３ａに対向する掛止突起１５ｃ，１５ｃが一体に形成されている。
【００５０】
上記各部材から構成される切換え装置１０は、以下のように組み立てられる。
【００５１】
第１の収納室Ｓ１と第２の収納室Ｓ２に可動接点３５，３５が収納された後に、第１の切換え部材４０ａと第２の切換え部材４０ｂが、ケース１１に対して上方から下向きに装着される。
【００５２】
図４と図５には、ケース１１に第１の切換え部材４０ａが装着された状態が示されている。第１の切換え部材４０ａの軸体４１の中腹部を意味している第１の支持部４１ａは、第１の内壁部１３ａに形成された第１の凹部１６ａの内部に挿入され、軸体４１の一方の端面に形成された第２の支持部４１ｂは、第１の外壁部１４ａの内面に形成された段差部である対向支持部１８ａに支持されている。第１の切換え部材４０ａの駆動部４２ａは、第１の収納室Ｓ１の内部に挿入され、軸体４1の先部である操作部４１ｃが、ケース１１の操作空間Ｓ３の内部に位置している。
【００５３】
同様にして、第２の切換え部材４０ｂがケース１１に装着されると、第１の支持部４１ａが第２の凹部１６ｂに挿入され、第２の支持部４１ｂが、第２の外壁部１４ｂの内面に形成された対向支持部に支持される。そして、駆動部４２ａが第２の収納室Ｓ２の内部に配置され、操作部４１ｃが操作空間Ｓ３に位置する。
【００５４】
ケース１１の第１の収納室Ｓ１と第２の収納室Ｓ２のそれぞれに、可動接点３５と第１の切換え部材４０ａならびに第２の切換え部材４０ｂが装着された後に、第１の収納室Ｓ１と第２の収納室Ｓ２にばね部材５５，５５が挿入される。そして、第１の収納室Ｓ１の上方の開口部に第１の蓋体６０ａが装着され、第２の収納室Ｓ２の上方の開口部に第２の蓋体６０ｂが装着される。
【００５５】
図４に示すように、第１の蓋体６０ａの内側挟持片６１は、ケース１１の第１の内壁部１３ａの操作空間Ｓ３に面する外面に弾圧され、外側挟持片６２は第１の外壁部１４ａの外面に弾圧される。図５と図６などに示すように、側部挟持片６３，６３が側壁部１５ａ，１５ｂの外面に装着され、側部挟持片６３，６３のそれぞれに形成された掛止穴６３ａ，６３ａが、側壁部１５ａ，１５ｂのそれぞれに形成された掛止突起１５ｃ，１５ｃに掛止されて、第１の蓋体６０ａが固定される。
【００５６】
同様に、第２の蓋体６０ｂの内側挟持片６１が、第２の内壁部１３ｂの外面に、外側挟持片６２が第２の外壁部１４ｂの外面に弾圧される。また、側部挟持片６３，６３が側壁部１５ａ，１５ｂの外面に弾圧され、掛止穴６３ａ，６３ａが掛止突起１５ｃ，１５ｃに掛止される。
【００５７】
図４と図５に示すように、第１の蓋体６０ａの内側挟持片６１が、第１の内壁部１３ａの外面に装着されると、第１の内壁部１３ａに形成された第１の凹部１６ａの下縁部１７ａと内側挟持片６１の切欠き部６１ａとの間に、貫通部６５が形成され、第１の収納室Ｓ１と操作空間Ｓ３が連通部６５を介して連通される。第１の切換え部材４０ａが装着された状態では、軸体４１の一部である第１の支持部４１ａが貫通部６５の内部に位置している。
【００５８】
図５は、図２のＶ−Ｖ線の断面図であり、操作空間Ｓ３に第１の内壁部１３ａの外面が現れている。図５に示すように、貫通部６５は、底部１２に沿って、左右方向（Ｙ方向）に細長く形成されている。貫通部６５の上下の開口幅寸法Ｈは、第１の切換え部材４０ａの軸体４１の直径Ｄよりもやや広く形成されている。
【００５９】
同様に、第２の内壁部１３ｂに形成された第２の凹部１６ｂの下縁部１７ｂと、第２の蓋体６０ｂの切欠き部６１ａとの間に貫通部６５が形成され、第２の切換え部材４０ｂの第１の支持部４１ａはこの貫通部６５の内部に位置している。図１と図５に示すように、第１の切換え部材４０ａの操作部４１ｃと第２の切換え部材４０ｂの操作部４１ｃは、ケース１１の操作空間Ｓ３の内部において、左右方向（Ｙ方向）に間隔を空けて対向している。
【００６０】
図６に示すように、第２の収納室Ｓ２に第２の蓋体６０ｂが装着されると、第２の蓋体６０ｂの内面によって、ばね部材５５の一対の支持弾性片５７，５７が下向きに押されて変形させられる。図６に示すように、第２の切換え部材４０ｂが初期姿勢のとき、押圧弾性片５６が、軸体４１と可動部４２の加圧部４２ｂの双方に当たって、第２の切換え部材４０ｂが下向きに付勢される。
【００６１】
押圧弾性片５６によって軸体４１が下向きに付勢されているために、軸体４１の一部である第１の支持部４１ａが、第２の凹部１６ｂの下縁部１７ｂに押し付けられている。また、押圧弾性片５６が可動部４２の加圧部４２ｂを下方に付勢しているために、駆動部４２ａが可動接点３５に加圧されている。
【００６２】
図６に示すように、第２の切換え部材４０ｂの操作部４１ｃに操作力が与えられていない初期状態では、第２の切換え部材４０ｂの駆動部４２ａが、可動接点３５の乗り上げ部３５ｃよりも図示左側に位置し、第２のコモン固定接点３１ｂと第２の初期接触固定接点３２ｂとの間で、駆動部４２ａが可動接点３５を下向きに押圧している。よって、可動接点３５の初期接触片３５ａが第２の初期接触固定接点３２ｂに接触している。
【００６３】
図６に示すように、駆動部４２ａが乗り上げ部３５ｃの左側で姿勢が安定しているため、初期姿勢での第２の切換え部材４０ｂは、第２の収納室Ｓ２内で図示左側に移動しており、軸体４１の第１の支持部４１ａが、貫通部６５の図示左側の端部に移動している。
【００６４】
一方、第１の収納室Ｓ１の内部では、第１の切換え部材４０ａが初期姿勢のときに、駆動部４２ａが乗り上げ部３５ｃよりも図示右側に位置して可動接点３５を下向きに押圧している。第１の切換え部材４０ａは図示右側へ移動しており、軸体４１の第１の支持部４１ａが、第１の凹部１６ａと第１の蓋体６０ａの内側挟持片６１との間に形成された貫通部６５の内部において図示右側（側壁部１５ｂに近い側）に移動している。
【００６５】
図３に示すように、ケース１１の第１の収納室Ｓ１と第２の収納室Ｓ２の内部では、外壁部１４ａ，１４ｂの内面と内壁部１３ａ，１３ｂの内面にばね規制部２１ａ，２２ａ，２２ｂが形成されている。これらばね規制部は、ばね部材５５の押圧弾性片５６の下側に対向している。互いに独立した状態で収納室Ｓ１，Ｓ２内に収納されているばね部材５５，５５の下方向への移動がばね規制部で規制されるため、ばね部材５５が収納室Ｓ１，Ｓ２内で不用意に倒れることなく、切換え部材４０ａ，４０ｂに下向きの加圧力を安定して与えることができる。
【００６６】
図１に示すように、車載用パワーウインドウ装置などの電装設備では、切換え装置１０のケース１１が基台２上に固定され、コモン固定接点３１ａ，３１ｂと初期接触固定接点３２ａ，３２ｂならびに切換え固定接点３３ａ，３３ｂが、基台２上の回路パターンにハンダ付けされて接続されている。
【００６７】
操作部材１は支持軸３に回動自在に支持されている。操作部材１の下端部に切換え押圧部４が一体に形成されており、切換え押圧部４が、第１の蓋体６０ａと第２の蓋体６０ｂとの間から、ケース１１の操作空間Ｓ３内に入り込んでおり、図１と図４ならびに図５に示すように、切換え押圧部４が第１の切換え部材４０ａの操作部４１ｃと第２の切換え部材４０ｂの操作部４１ｃとの間に位置している。
【００６８】
操作部材１が図１において実線で示す中立姿勢のとき、図６に示すように、ケース１１の第２の収納室Ｓ２では、第２の切換え部材４０ｂが初期姿勢であり、可動接点３５の初期接触片３５ａが第２の初期接触固定接点３２ｂと接触している。第１の収納室Ｓ１では、第１の切換え部材４０ａが初期姿勢であり、可動接点３５の初期接触片３５ａが、第１の初期接触固定接点３２ａに接触している。
【００６９】
操作部材１が図１においてα１方向へ倒されると、切換え押圧部４によって、第２の切換え部材４０ｂの操作部４１ｃが図１と図７の図示右方向であるα２方向へ押され、第２の切換え部材４０ｂの第１の支持部４１ａが、貫通部６５内をα２方向へ移動させられる。第１の支持部４１ａが第２の凹部１６ｂの下縁部１７ｂに加圧されているため、第２の切換え部材４０ｂの軸体４１は、下縁部１７ｂに沿って、底部１２と平行に図示右側へ移動させられる。
【００７０】
図７に示すように、軸体４１がα２方向へ移動するときに、駆動部４２ａが可動接点３５の乗り上げ部３５ｃに乗り上がるために、第２の切換え部材４０ｂは、α２方向へ移動すると同時に軸体４１を支点として時計方向へ回動させられて、図７に示す切換え姿勢となる。このとき、可動接点３５が第２のコモン固定接点３１ｂとの接触部を支点として時計方向へ回動し、切換え接触片３５ｂが第２の切換え固定接点３３ｂと接触する。
【００７１】
図７に示すように、第２の切換え部材４０ｂが切換え姿勢になると、加圧部４２ｂによってばね部材５５の押圧弾性片５６が上向きに押され、押圧弾性片５６から可動部４２に対して下向きの大きな復帰力が与えられる。よって、操作部材１への操作力が解除されると、図６に示すように第２の切換え部材４０ｂが初期姿勢に復帰する。
【００７２】
図１において、操作部材１が時計方向（β１方向）へ倒されると、第１の切換え部材４０ａの操作部４１ｃがβ２方向へ押され、第１の収納室Ｓ１で、第１の切換え部材４０ａがβ２方向へ移動させられるとともに反時計方向へ回動させられ、可動接点３５の切換え接触片３５ｂが第１の切換え固定接点３３ａに接触させられる。そして、操作部材１への操作力が解除されると、第１の切換え部材４０ａが初期姿勢に復帰する。
【００７３】
この切換え装置１では、操作部材１が操作されたときに、その回動力で切換え部材４０ａ，４０ｂの軸体４１，４１が貫通部６５に沿って左右方向（Ｙ方向）へのみ移動させられる。そのため、操作部材１から切換え部材４０ａ，４０ｂへの力の伝達効率がよくなり、第１の切換え部材４０ａと第２の切換え部材４０ｂを低負荷で動作させて、可動接点の接触状態を切換えることが可能である。
【００７４】
また、ケース１１の第１の収納室Ｓ１と第２の収納室Ｓ２の上方の開口部が、第１の蓋体６０ａと第２の蓋体６０ｂとで個別に閉鎖させるため、蓋体に上方向に向けられる穴を形成する必要がなくなり、第１の収納室Ｓ１と第２の収納室Ｓ２にゴミや埃または水分などが入りにくくなる。第１の内壁部１３ａと第２の内壁部１３ｂにそれぞれ貫通部６５が形成されているが、この貫通部６５は、それぞれの凹部１６ａ，１６ｂと蓋体６０ａ，６０ｂの内側挟持片６１，６１との間に形成されて、左右方向（Ｙ方向）へ延びているため、従来のように貫通部６５を上下に長く形成する必要がない。そのため、貫通部６５と第１の支持部４１ａとの隙間から収納室Ｓ１，Ｓ２にゴミや埃または水分などが入りにくい。
【００７５】
図５に示すように、それぞれの貫通部６５の上には、蓋体６０ａ，６０ｂの内側挟持片６１，６１から折り曲げられたカバー部６１ｂ，６１ｂが位置し、このカバー部６１ｂ，６１ｂが操作部４１ｃ，４１ｃの移動領域を上方から覆っているので、上方から貫通部６５にゴミや埃または水分などが入り込むのを防止しやすい。
【００７６】
なお、前記実施の形態では、蓋体６０ａ，６０ｂの内側挟持片６１，６１に切欠き部６１ａ，６１が形成され、内壁部１３ａ，１３ｂの凹部１６ａ，１６ｂと切欠き部６１ａ，６１ａとの間に貫通部６５，６５が形成されているが、切欠き部６１ａ，６１ａを設けずに、凹部１６ａ，１６ｂと内側挟持片６１，６１の下縁との間に貫通部６５，６５が形成されていてもよい。
【符号の説明】
【００７７】
Ｓ１  第１の収納室
Ｓ２  第２の収納室
Ｓ３  操作空間
１  操作部材
４  切換え押圧部
１０  切換え装置
１１  ケース
１２  底部
１３ａ  第１の内壁部
１３ｂ  第２の内壁部
１４ａ  第１の外壁部
１４ｂ  第２の外壁部
１５ａ，１５ｂ  側壁部
１６ａ  第１の凹部
１６ｂ  第２の凹部
３１ａ，３１ｂ  コモン固定接点
３２ａ，３２ｂ  初期接触固定接点
３３ａ，３３ｂ  切換え固定接点
３５  可動接点
３５ａ  初期接触片
３５ｂ  切換え接触片
３５ｃ  乗り上げ部
４０ａ  第１の切換え部材
４０ｂ  第２の切換え部材
４１  軸体
４１ａ  第１の支持部
４１ｂ  第２の支持部
４１ｃ  操作部
４２  可動部
４２ａ  駆動部
５５  ばね部材
５６  押圧弾性片
５７  支持弾性片
６０ａ  第１の蓋体
６０ｂ  第２の蓋体
６１  内側挟持片
６１ａ  切欠き部
６１ｂ  カバー部
６２  外側挟持片
６５  貫通部
【図１】
2014229529.tif 000003
【図２】
2014229529.tif 000004
【図３】
2014229529.tif 000005
【図４】
2014229529.tif 000006
【図５】
2014229529.tif 000007
【図６】
2014229529.tif 000008
【図７】
2014229529.tif 000009